(57)【要約】【課題】携帯無線端末の小型化を図りつつ、アンテナ特性の向上を図る。【解決手段】相互に折り畳み可能なよう係合された一対の筐体を備えた携帯無線端末であって、各筐体内に、所定の長さを有するアンテナをそれぞれ備えると共に、一対の筐体が折り畳まれた時における各アンテナの対向部分に、相互に所定の押圧力で押圧した状態で接触して、各アンテナを相互に電気的に接続する一対の接触部を備えた。【選択図】図１
2009111436.tif 000002
【特許請求の範囲】
【請求項１】
相互に折り畳み可能なよう係合された一対の筐体を備えた携帯無線端末であって、
前記各筐体内に、所定の長さを有するアンテナをそれぞれ備えると共に、
前記一対の筐体が折り畳まれた時における前記各アンテナの対向部分に、相互に所定の押圧力で押圧した状態で接触して、前記各アンテナを相互に電気的に接続する一対の接触部を備えた、
ことを特徴とする携帯無線端末。
【請求項２】
少なくとも一方の前記アンテナに接続された一方の前記接触部は、他方の前記アンテナに接続された他方の前記接触部に接触したときにその長さが縮小し、離間したときに伸長するよう構成されている、
ことを特徴とする請求項１記載の携帯無線端末。
【請求項３】
伸縮する前記一方の接触部の伸長時の端部から当該接触部が接続された前記一方のアンテナまでの長さと、前記他方の接触部の端部から当該接触部が接続された前記他方のアンテナまでの長さと、の和は、前記一対の筐体が折り畳まれたときの前記各アンテナの接続部分における当該各アンテナ間の距離よりも長く設定されている、
ことを特徴とする請求項２記載の携帯無線端末。
【請求項４】
少なくとも前記一対の筐体が折り畳まれていないときに、伸長時における前記一方の接触部の周囲を囲うと共に当該接触部の接触端部側が開口された囲い部材を、一方の前記筐体の折り畳み面に設けた、
ことを特徴とする請求項２又は３記載の携帯無線端末。
【請求項５】
前記一対の筐体が折り畳まれたときに前記囲い部材を収容する空間部を、他方の前記筐体の折り畳み面に設けた、
ことを特徴とする請求項４記載の携帯無線端末。
【請求項６】
前記囲い部材は、当該囲い部材の周囲が前記一方の接触部の接触端部側に向かって細くなるテーパ状に形成されている、
ことを特徴とする請求項４又は５記載の携帯無線端末。
【請求項７】
少なくとも一方の前記アンテナを、前記筐体内に装備された基板上に設けた、
ことを特徴とする請求項１，２，３，４，５又は６記載の携帯無線端末。
【請求項８】
少なくとも一方の前記アンテナを、前記筐体内に装備されたフレキシブル基板上に設けた、
ことを特徴とする請求項７記載の携帯無線端末。
【請求項９】
前記一対の接触部は、前記一対の筐体に設けられた主表示部が外側を向いて折り畳まれたときに相互に接触するよう配設されている、
ことを特徴とする請求項１，２，３，４，５，６，７又は８記載の携帯無線端末。
【請求項１０】
相互に折り畳み可能なよう係合された一対の筐体を備えた携帯無線端末に装備されるアンテナ装置であって、
前記各筐体内にそれぞれ備えられた所定の長さを有する各アンテナと、
前記一対の筐体が折り畳まれた時における前記各アンテナの対向部分に、相互に所定の押圧力で押圧した状態で接触して、前記各アンテナを相互に電気的に接続する一対の接触部と、
を備えたことを特徴とするアンテナ装置。
【請求項１１】
少なくとも一方の前記アンテナに接続された一方の前記接触部は、他方の前記アンテナに接続された他方の前記接触部に接触したときにその長さが縮小し、離間したときに伸長するよう構成されている、
ことを特徴とする請求項１０記載のアンテナ装置。
【発明の詳細な説明】
【技術分野】
【０００１】
本発明は、携帯無線端末にかかり、特に、アンテナ構造に特徴を有する折り畳み式の携帯無線端末に関する。
【背景技術】
【０００２】
近年、携帯電話をはじめとする携帯無線端末の小型化が進んでいる。このため、筐体サイズに制限が生じ、携帯無線端末にて必要な無線機能に必要とされるアンテナを実装する十分な領域を確保することが困難になってきている。一方で、電話機本来の無線機能に加え、さらに、ワンセグやＧＰＳ（Global  Positioning  System）、Ｂｌｕｅｔｏｏｔｈ、ＲＦＩＤ（Ｒａｄｉｏ  Ｆｒｅｑｕｅｎｃｙ  Ｉｄｅｎｔｉｆｉｃａｔｉｏｎ）など付加的な無線機能を搭載する傾向にあり、各無線システムのためのアンテナ領域を確保しつつ、良好なアンテナ特性を得るための技術が検討されている。
【０００３】
例えば、波長の長い周波数帯の波の場合、筐体に内蔵するか、伸縮可能なホイップアンテナ等を設けるか、必要時にアンテナコネクタに外部接続する外付けアンテナを利用することが考えられる。ところが、ホイップアンテナを用いた場合や外付けアンテナを用いた場合には、携帯無線端末からアンテナが突出した状態となるため、小型化の意味が薄れてしまう。一方、筐体に内蔵した場合には、アンテナ長が限られてしまうため、良好なアンテナ特性を得ることができない、という問題があった。
【０００４】
これに対して、特許文献１は、折り畳み式携帯電話にて、アンテナ長を長く形成可能な技術を開示している。具体的には、折り畳まれる一対の筐体に、それぞれ第一アンテナと第二アンテナとを備え、一対の筐体が開いたときにこれらが接続され、アンテナ長を長く形成することができる、という構成である。また、逆に、一対の筐体が折り畳まれて閉じたときに、第一アンテナと第二アンテナとを接続する、という構成も示唆されている。
【０００５】
【特許文献１】特開平１１−１３６０１５号公報
【発明の開示】
【発明が解決しようとする課題】
【０００６】
ところが、上記特許文献１では、折り畳まれたときに各筐体に内蔵されたアンテナを接続する構成については開示されておらず、かかる文献の記載からは実現不可能である。そして、特に近年では、携帯無線端末にてワンセグ放送（携帯電話・移動体端末向けの１セグメント部分受信サービス）の受信が可能となっているため、折り畳み式の端末を画面が外側に向いた状態で折り畳んで、当該画面を閲覧する機会が増加している。このため、折り畳まれたときに、各筐体に装備されたアンテナが相互に接続される構成の実現が必要とされている。
【０００７】
このため、本発明の目的は、上述した課題である、携帯無線端末の小型化を図りつつ、アンテナ特性の向上を図ること、である。
【課題を解決するための手段】
【０００８】
そこで、本発明の一形態である携帯無線端末は、
相互に折り畳み可能なよう係合された一対の筐体を備えた携帯無線端末であって、
各筐体内に、所定の長さを有するアンテナをそれぞれ備えると共に、
一対の筐体が折り畳まれた時における各アンテナの対向部分に、相互に所定の押圧力で押圧した状態で接触して、各アンテナを相互に電気的に接続する一対の接触部を備えた、
という構成を採る。
【発明の効果】
【０００９】
本発明は、以上のように構成されるため、より確実に各アンテナが相互に電気的に接続され、アンテナ長が長くなり、その結果、アンテナ特性の向上を図ることができ、無線通信の信頼性の向上を図ることができる、という従来にない優れた効果を有する。
【発明を実施するための最良の形態】
【００１０】
本発明の一形態である携帯無線端末は、
相互に折り畳み可能なよう係合された一対の筐体を備えた携帯無線端末であって、
各筐体内に、所定の長さを有するアンテナをそれぞれ備えると共に、
一対の筐体が折り畳まれた時における各アンテナの対向部分に、相互に所定の押圧力で押圧した状態で接触して、各アンテナを相互に電気的に接続する一対の接触部を備えた、
という構成を採る。
【００１１】
上記発明によると、折り畳み式の一対の筐体を備えた携帯無線端末が折り畳まれたときに、各筐体内の各アンテナの対向部分にそれぞれ設けられた一対の接触部が、相互に押圧した状態で接触する。これにより、より確実に各アンテナが相互に電気的に接続され、アンテナ長が長くなる。その結果、アンテナ特性の向上を図ることができ、無線通信の信頼性の向上を図ることができる。
【００１２】
そして、上記携帯無線端末は、少なくとも一方のアンテナに接続された一方の接触部は、他方のアンテナに接続された他方の接触部に接触したときにその長さが縮小し、離間したときに伸長するよう構成されている、という構成を採る。さらに、伸縮する一方の接触部の伸長時の端部から当該接触部が接続された一方のアンテナまでの長さと、他方の接触部の端部から当該接触部が接続された他方のアンテナまでの長さと、の和は、一対の筐体が折り畳まれたときの各アンテナの接続部分における当該各アンテナ間の距離よりも長く設定されている、という構成を採る。
【００１３】
これにより、簡易な構成で、上述したように相互に押圧した状態で接触する一対の接触部を構成することができる。従って、アンテナ接続の信頼性を維持しつつ、低コストにて実現することができる。
【００１４】
また、上記携帯無線端末は、少なくとも一対の筐体が折り畳まれていないときに、伸長時における一方の接触部の周囲を囲うと共に当該接触部の接触端部側が開口された囲い部材を、一方の筐体の折り畳み面に設けた、という構成を採る。さらに、一対の筐体が折り畳まれたときに囲い部材を収容する空間部を、他方の前記筐体の折り畳み面に設けた、という構成を採る。そして、特に、囲い部材は、当該囲い部材の周囲が一方の接触部の接触端部側に向かって細くなるテーパ状に形成されている、という構成を採る。
【００１５】
これにより、囲い部材にて伸縮する接触部を保護することができ、アンテナの接続の信頼性の向上を図ることができる。また、囲い部材を収容する凹部を他方の筐体に形成することで、囲い部材が折り畳みの妨げとなることを抑制することができる。
【００１６】
また、上記携帯無線端末は、少なくとも一方のアンテナを、筐体内に装備された基板上に設けた、という構成を採る。また、上記携帯無線端末は、少なくとも一方のアンテナを、筐体内に装備されたフレキシブル基板上に設けた、という構成を採る。これにより、別途アンテナ用のスペースを設ける必要が無いため、省スペース化を図ることができ、携帯無線端末のさらなる小型化を図ることができる。
【００１７】
また、上記一対の接触部は、一対の筐体に設けられた主表示部が外側を向いて折り畳まれたときに相互に接触するよう配設されている、という構成を採る。これにより、例えば、折り畳まれた状態でワンセグ放送などを主表示部で閲覧する場合においても、アンテナ特性の向上を図ることができるため、良質な映像を閲覧することができる。
【００１８】
また、本発明の他の形態であるアンテナ装置は、
相互に折り畳み可能なよう係合された一対の筐体を備えた携帯無線端末に装備されるアンテナ装置であって、
各筐体内にそれぞれ備えられた所定の長さを有する各アンテナと、
一対の筐体が折り畳まれた時における各アンテナの対向部分に、相互に所定の押圧力で押圧した状態で接触して、各アンテナを相互に電気的に接続する一対の接触部と、
を備えた、という構成を採る。
【００１９】
そして、上記アンテナ装置は、少なくとも一方のアンテナに接続された一方の接触部は、他方のアンテナに接続された他方の接触部に接触したときにその長さが縮小し、離間したときに伸長するよう構成されている、という構成を採る。
【００２０】
＜実施形態１＞
以下、本発明の第１の実施形態を、図１乃至図７を参照して説明する。図１乃至図２は、携帯電話を正面から見た構成を示す図であり、図３は、側方から見た断面図である。図４乃至図５は、アンテナ接続部分の構成を示す図である。図６は、携帯電話の状態とアンテナの状態の遷移を説明するための図である。図７は、携帯電話の構成の変形例を示す図である。
【００２１】
［構成］
図１（ａ）に示す携帯電話１は、一対の筐体１０，３０がヒンジ２０にて回動自在に係合された折り畳み式の携帯電話１である。そして、図１（ａ）の上側に位置する上側筐体１０（一方の筐体）は、表面に表示部であるスクリーン１２を備えている。また、その上端部付近には、音声通話時に相手話者の音声が聞こえるレシーバ（Ｒｅｃｅｉｖｅｒ）１１を備えている。さらに、上側筐体１０の内部には、所定の長さを有する直線状の上側アンテナ１３を備えている。なお、上側アンテナ１３の形状は、直線状であることに限定されない。
【００２２】
また、図１（ａ）の下側に位置する下側筐体３０は、下端付近にマイク（ＭＩＣ）３１を備えている。また、その表面には、図示しないが、複数のボタンを有する操作部を備えている。さらに、下側筐体３０の内部には、略Ｌ字状の下側アンテナ３２と、送受信回路３４と、を備えている。そして、図示するように、送受信回路３４は、下側アンテナ３３と給電部３３を介して接続されており、この下側アンテナ３２を用いて無線通信を行う。なお、本実施形態では、共に、ワンセグ放送の受信を行うことを想定して説明する。但し、下側アンテナ３２や後述するように利用する上側アンテナ１３は、必ずしもワンセグ放送の受信に利用することに限定されない。
【００２３】
また、上記上側筐体１０と下側筐体３０とは、ヒンジ２０の長手方向に沿った軸Ｃ１、つまり、上下方向に垂直な軸Ｃ１を中心として開いたり、重ね合わさるよう折り畳み可能に回動する。また、ヒンジ２０は、内部に、縦方向、つまり、上記ヒンジ２０の長手方向に沿った軸Ｃ１とは垂直方向に軸Ｃ２を有する軸部材２１を備えている。この軸部材２１は、両端で上側筐体１０と下側筐体３０とを軸支している。従って、上側筐体１０と下側筐体３０とは、その表裏が１８０度ずれるまで、軸Ｃ２周りを回転するよう構成されている。
【００２４】
ここで、図１（ｂ）に、図１（ａ）の状態の携帯電話１の上側筐体１０を、下側筐体３０に対して軸Ｃ２を中心に９０度回転したときの様子を示す。また、図２（ａ）に、さらに９０度回転、つまり図１（ａ）の状態から上側筐体１０を下側筐体３０に対して１８０度回転したときの様子を示す。図２（ａ）では、上側筐体１０でスクリーン１２が裏面側位置し、また、図１（ａ）に示すように回転前は右側に位置していた内部の上側アンテナ１３が、図２（ａ）に示すように回転後は左側に位置している。そして、さらに、図２（ａ）の状態から、ヒンジ２０の軸Ｃ１を中心に上側筐体１０と下側筐体３０とを折り畳むよう回転することで、図２（ｂ）に示すように、上側筐体１０のスクリーンが表側、つまり、携帯電話１の外側に位置して、折り畳まれた状態になる。なお、この状態を、「スクリーン外向き閉状態」と呼ぶ。
【００２５】
そして、図２（ｂ）に示す状態で、本実施例では、上側筐体１０内に設けられた上側アンテナ１３と、下側筐体３０内に設けられた下側アンテナ３２とが、それぞれの端部に設けられた一対の接触部４０を介して接続されることとなる。以下、各筐体１０，３０の内部構成及び各アンテナ１３，３２の構成について詳述する。
【００２６】
図３（ａ），（ｂ）に示すように、上側アンテナ１３は、上側筐体１０内に装備された基板１４上に設けられたマイクロストリップアンテナである。そして、この上側アンテナ１３の一端は、後述するように、「スクリーン外向き閉状態」で折り畳まれたときに、下側アンテナ３２の他端と対向する部分となる。そして、この上側アンテナ１３の一端は、下側アンテナ３２（下側接触部６０）と接続するための上側接触部５０を有する。つまり、図３（ｂ）に示すように、上側接触部５０と下側接触部６０とは、携帯電話１が「スクリーン外向き閉状態」にある場合に、相互に接触する一対の接触部４０を構成し、両アンテナ１３，３２を接続する。
【００２７】
具体的に、上側アンテナ１３の上側接触部５０は、図４（ａ）に示すように、上側筐体１０内に装備された基板１４に対して垂直方向（図４（ａ）の上下方向）に伸縮する伸縮ピン５２と、この伸縮ピン５２が伸縮するよう支持する支持部５１と、伸縮ピン５２の周囲を囲う囲い部材５３と、を有している。例えば、支持部５１は、伸縮ピン５２が伸長する方向に付勢するコイルバネを備えている。従って、伸縮ピン５２は、先端から押圧される力が付勢されていない状態では伸長した状態となり、先端に所定の押圧力がかかるとコイルバネが収縮して縮小した状態となる。なお、伸縮ピン５２が縮小状態のときでも、支持部５１のコイルバネは、当該伸縮ピン５２が伸長する方向に押圧力を付勢している。また、伸縮ピン５２は、支持部５１を介して上側アンテナ１３に接続されている。
【００２８】
さらに、上記囲い部材５３は、上側筐体１０の折り畳み面の一部が凸状に突出して形成されており、電気的な接続端子となる伸縮ピン５２の周囲を囲って保護する役割を果たす。具体的に、囲い部材５３は、伸縮ピン５２自体の周囲を囲う壁面が、錘状の先端部分が開口された形状に形成されている。つまり、囲い部材５３の壁面が、伸縮ピン５２の先端側に向かうにつれてその周囲が細くなるテーパ状に形成されている。
【００２９】
また、図３（ａ），（ｂ）に示すように、下側アンテナ３２は、下側筐体３０内に装備された基板３５上に設けられたマイクロストリップアンテナである。そして、その一端に送受信回路３４に接続される給電点３３を有し（図１（ａ）参照）、他端に上記上側アンテナ１３と接続するための下側接触部６０を有する。なお、この他端部分は、「スクリーン外向き閉状態」で折り畳まれたときに、上記上側アンテナ１３の一端に位置する上側接触部５０と対向する部分である。
【００３０】
そして、図４（ｂ）に示すように、下側接触部６０は、具体的には、下側アンテナ３２に接続された固定ピン６１を備えている。そして、この固定ピン６１は、下側筐体３０の折り畳み面に形成された開口穴６２から露出している。なお、この開口穴６２（空間部）は、上記上側筐体１０の折り畳み面から突出して形成された囲い部材５３が挿通することを許容する十分な広さ及び深さの空間を形成している。このため、折り畳み面付近における開口穴６２の穴径は、囲い部材５３の根元部分の径とほぼ等しいか、それよりも大きく形成されている。
【００３１】
ここで、上記上側接触部５０と下側接触部６０とからなる一対の接触部４０の接触時の状態について、図５を参照してさらに詳述する。図５（ａ），（ｂ），（ｃ）は、上側筐体１０と下側筐体３０とが折り畳まれ、折り畳み面が接触あるいは近接までの遷移状態を示している。図５（ａ）から順番に見ていくと、まず、上側接触部５０の一部である上側筐体１０の折り畳み面から突出した凸状の囲い部材５３が、下側筐体３０の折り畳み面に形成された開口穴６２に挿通する。図５（ｂ）に示すように、さらに折り畳まれていくと、上側接触部５０の伸縮ピン５２の端部が下側接触部６０の固定ピン６１の端部に当接する。このとき、伸縮ピン５２は、固定ピン６１から下方向から上方向に押圧力を受け、伸縮ピン５２の長さが短くなるよう縮小する。その後、図５（ｃ）に示すように、完全に折り畳まれたときには、伸縮ピン５２はさらに縮小した状態となり、当該伸縮ピン５２と固定ピン６１とは相互に押圧した状態で接触した状態となる。これにより、伸縮ピン５２と固定ピン６１との確実な接触を実現できる。
【００３２】
なお、一対の筐体１０，３０が折り畳まれたときに、上側アンテナ１３と下側アンテナ３２とが相互に押圧した状態で接触するためには、上述したように少なくとも一方のピンを伸縮するピンで形成すると共に、さらに、ピンの長さを以下のように設定する必要がある。つまり、上側アンテナ１３から伸縮ピン５２の端部までの高さと、下側アンテナ３２から固定ピン６１の端部までの高さとの和を、図５（ｃ）に示す「スクリーン外向き閉状態」のときの両アンテナ１３，３２間の距離を超える長さに設定する。すると、この各ピン１３，３２の長さの和が、両アンテナ１３，３２間の長さを超えた分は、伸縮ピン１３が固定ピン６１と当接して収縮したときに吸収され、これにより相互が押し合った状態で接触する。なお、伸縮ピン５２が固定ピン６１から離間したときは、当該伸縮ピン５２の先端が押圧されていないため、伸長してもとの長さに戻る。
【００３３】
［動作］
次に、上記構成の携帯電話１の開閉動作を、図６を参照して説明する。図６の左側は、携帯電話１の折り畳み状態の遷移を示しており、右側はアンテナの状態の遷移を示している。なお、図１，２等において、上側アンテナ１３と下側アンテナ３２のアンテナ長は、それぞれ１／８波長で設計されていることとする。
【００３４】
まず、図６（２）に示す「スクリーンを内向きにして開いた状態」とは、図１（ａ）に示した状態である。そして、図６（１）に示す「スクリーンを内向きにして閉じた状態」とは、図１（ａ）に示す状態で、ヒンジ２０の軸Ｃ１を中心に回転して折り畳んだ状態である。さらに、図６（３）に示す「スクリーンを外向きにして開いた状態」とは、図１（ａ）の状態から軸Ｃ２を中心に上側筐体１０を１８０度回転した図２（ａ）に示す状態である。これら（１），（２），（３）のいずれの状態も、送受信回路３４に接続されているのは下側アンテナ３２だけであるため、当該下側アンテナ３２のみが機能しており、アンテナ長は１／８波長である。
【００３５】
そして、図６（４）に示す「スクリーンを外向きにして閉じた状態」とは、図２（ａ）に示す状態からヒンジ２０の軸Ｃ１を中心に回転して折り畳んだ状態である。つまり、図２（ｂ）に示すように、携帯電話１のスクリーン１２が外向き状態で折り畳まれた状態（スクリーン外向き閉状態）である。このとき、上側アンテナ１３と下側アンテナ３２とは、一対の接触部４０にて接続する。つまり、図５（ａ），（ｂ），（ｃ）に示すように、上側アンテナ１３の端部に設けられた伸縮ピン５２の先端が、下側アンテナ３２の端部に設けられた固定ピン６１の端部に当接して、伸縮ピン５２が収縮され、相互に押圧した状態で接触する。すると、上側アンテナ１３と下側３２とが１本のアンテナとして機能し、アンテナ長が１／４波長の合成アンテナになる。この結果、アンテナ長が１／８波長から１／４波長に増加し、アンテナ利得やアンテナ帯域特性を向上させることができる。
【００３６】
そして、上記アンテナによる無線システムがワンセグである場合、携帯電話１をスクリーン外向き閉状態にした場合に最良の受信感度が得られることになる。このことにより、ＵＨＦなど比較的波長の長い無線システムにおいても、内蔵化したアンテナであっても十分な特性を得ることが可能となり、アンテナ内蔵化を可能にする。なお、これまでは良好なアンテナ特性を得るためにはアンテナ用の面積を確保することが必要であるが、上側基板１４もしくは下側基板３５だけで十分なアンテナ用面積を確保するのは困難であった。ところが、上述したように、本発明では、アンテナ１３，３２をそれぞれ上側基板１４と下側基板３５とに分けて搭載してアンテナ用面積を確保するため、設計的が容易となる。
【００３７】
なお、上記では、ワンセグ放送の受信を想定しているため、携帯電話１がスクリーン外向き閉状態にある時に最大受信感度が得られるよう上側アンテナ１３と下側アンテナ３２が接続され合成アンテナが形成される構造としているが、別な無線システムの場合には、スクリーン１２が内向きのまま携帯電話１を閉じた場合にアンテナが合成される構造にしてもよい。また、上記では、携帯電話１を一例に挙げて説明したが、折り畳み式の携帯無線端末であれば、ＰＤＡや電子辞書、携帯ゲーム機、ノートパソコンなどのあらゆる端末にも適用可能である。
【００３８】
また、上記では、アンテナ１３，３２を各基板上に搭載していたが、必ずしも基板上に設ける必要は無い。筐体内に収容スペースがあれば、かかるスペースにアンテナ１３，３２を収容してもよい。
【００３９】
また、上述したアンテナ１３，３２を、フレキシブル基板上に搭載してもよい。その構成の一例を、図７に示す。図７（ｂ）は、上側筐体１０に搭載されるフレキシブル基板１５に、上側アンテナ１３を搭載した構成を示している。このフレキシブル基板１５は、例えば、Ｌ字状に形成されており、この形状に対応して、上側アンテナ１３もＬ字状に形成されている。そして、例えば、上側アンテナ１３は、薄いマイクロストリップアンテナにて形成されているため、フレキシブル基板１５と共に折り曲げることが可能である。従って、このフレキシブル基板１５は、図７（ｂ）の点線部分で折り曲げられ、図７（ａ）に示すように、長辺部分が上側筐体１０の厚み部分を形成する側壁に位置するよう、搭載される。また、短辺部分は、上側筐体１０内の他の基板１４上に配置され、固定される。
【００４０】
そして、上記上側アンテナ１３の短辺部分の端部は、上述した上側接触部５０を有する。従って、上述同様に、図７（ａ）に示すように、一対の筐体１０，３０が折り畳まれた状態では、下側筐体３０に搭載された下側アンテナ３２の下側接触部（図示せず）と接触して（符号４０部分）、合成アンテナを形成し、アンテナ長が長くなる。
【００４１】
以上のように、アンテナをフレキシブル基板上に設けることにより、アンテナ配置の自由度が増す。その結果、携帯電話の設計が容易となり、さらなる小型化も可能となる。
【産業上の利用可能性】
【００４２】
本発明は、ワンセグ放送を受信するなど、無線アンテナを有する携帯電話や電子辞書など、折り畳み式筐体を有する端末に利用することができ、産業上の利用可能性を有する。
【図面の簡単な説明】
【００４３】
【図１】図１（ａ）は、スクリーンを内側にして開いた状態の携帯電話を示す図であり、図１（ｂ）は、上側筐体を９０度回転させた状態の携帯電話を示す図である。
【図２】図２（ａ）は、スクリーンを外側にして開いた状態の携帯電話を示す図であり、図２（ｂ）は、スクリーンを外側にして折り畳んだ状態の携帯電話を示す図である。
【図３】図３（ａ）は、スクリーンを外側にして折り畳むときの携帯電話を側方から見た断面図であり、図３（ｂ）は折り畳んだときの断面図である。
【図４】図４（ａ）は、上側接触部の構成を示す図であり、図４（ｂ）は、下側接触部の構成を示す図である。
【図５】一対の接触部の接触時の様子を示す図である。
【図６】携帯電話の状態とアンテナの状態の遷移を説明するための図である。
【図７】アンテナの構成の変形例を示す図である。
【符号の説明】
【００４４】
１  携帯電話
１０  上側筐体
１１  レシーバ
１２  スクリーン
１３  上側アンテナ
１４  基板
１５  フレキシブル基板
２０  ヒンジ
２１  軸部材
３０  下側筐体
３１  マイク
３２  下側アンテナ
３３  給電部
３４  送受信回路
３５  基板
４０  一対の接触部
５０  上側接触部
５１  支持部
５２  伸縮ピン
５３  囲い部材
６０  下側接触部
６１  固定ピン
６２  開口穴
【図１】
2009111436.tif 000003
【図２】
2009111436.tif 000004
【図３】
2009111436.tif 000005
【図４】
2009111436.tif 000006
【図５】
2009111436.tif 000007
【図６】
2009111436.tif 000008
【図７】
2009111436.tif 000009